(57)【要約】【課題】大当たり状態となる確率を変動させ、かつその確率状態を表示できるようにする。【解決手段】大当たり状態とされた図柄が特別図柄であると一定の期間（通常図柄で連続して２回大当たりする間）高確率モードに切り替わり、次に大当たり状態となる確率が高められる。また、この時、確率表示部１５には、前々回の大当たり図柄、前回の大当たり図柄、今回の大当たり図柄が表示されるようになっている。従って、遊技者は、この確率表示部１５の内容から現在の確率モードや過去の経過を知ることができる。【選択図】図１
2006110387.tif 000002
【特許請求の範囲】
【請求項１】
複数の図柄を可変表示可能な表示装置を備え、その表示装置が特定図柄で停止した時に大当たり状態となるパチンコ機において、
前記表示装置が特定図柄で停止する確率を高確率状態と低確率状態との間で変動させる確率変動手段と、
前記確率変動手段によって変動した確率の状態を表示する確率表示手段とを備えるとともに、前記表示装置に表示される特定図柄は前記大当たり状態を成立させる複数種が設定され、前記確率変動手段は、前記複数種ある特定図柄のうちの特別図柄によって表示がされたときに前記高確率状態へ移行させるようになっており、
また、前記確率表示手段は前記大当たり状態を成立させた特定図柄あるいは特別図柄の過去の経過を表示する表示部を有し、さらにこの表示部には特別図柄が表示されるときには同特別図柄が高確率状態に対応するものであることを示すための高確率表示図柄が表示されていることを特徴とするパチンコ機。
【発明の詳細な説明】
【技術分野】
【０００１】
本発明は、複数の図柄が可変表示されるパチンコ機に関する。
【背景技術】
【０００２】
従来、遊技領域に液晶パネルからなる表示装置を備えたものがある。この表示装置には、始動入賞口への遊技球の入賞に基づいて複数の図柄が可変表示されるようになっており、そして、所定時間経過後に図柄が特定図柄で停止した場合には大当たり状態となるように設定されている。
【特許文献１】特開平５−２２８２５１号公報
【発明の開示】
【発明が解決しようとする課題】
【０００３】
ところで、複数の図柄が可変表示される表示装置を備えたものの中には、興趣を盛り上げるために特定図柄で停止する確率、即ち、大当たり状態となる確率を変動させることができるようにしたものがある。たとえば、特開平５ー２２８２５１号公報に開示されているように、図柄が特別の図柄で停止した場合に、大当たり状態となる確率を高確率に切り換えるように構成したもの等である。
ところが、単に確率を変えるように構成しただけでは、遊技者は遊技に熱中する余り、現状の確率の状態を忘れてしまうことがある。これでは、せっかく大当たり状態となる確率を変動するように構成しても却って面白味に欠けてしまうことにもなりかねない。
本発明は、上記事情に鑑みてなされたもので、その目的は、大当たり状態となる確率を変動させることができるものにおいて、その確率状態を表示することができるパチンコ機を提供するところにある。
【課題を解決するための手段】
【０００４】
上記目的を達成するために、本発明のパチンコ機は、複数の図柄を可変表示可能な表示装置を備え、その表示装置が特定図柄で停止した時に大当たり状態となるパチンコ機において、前記表示装置が特定図柄で停止する確率を高確率状態と低確率状態との間で変動させる確率変動手段と、前記確率変動手段によって変動した確率の状態を表示する確率表示手段とを備えるとともに、前記表示装置に表示される特定図柄は前記大当たり状態を成立させる複数種が設定され、前記確率変動手段は、前記複数種ある特定図柄のうちの特別図柄によって表示がされたときに前記高確率状態へ移行させるようになっており、また、前記確率表示手段は前記大当たり状態を成立させた特定図柄あるいは特別図柄の過去の経過を表示する表示部を有し、さらにこの表示部には特別図柄が表示されるときには同特別図柄が高確率状態に対応するものであることを示すための高確率表示図柄が表示されているところに特徴を有する。
【発明の効果】
【０００５】
＜請求項１の発明＞
本発明によれば、大当たり状態となる確率を確率変動手段によって変動させることができる。また、その変動した後の確率の状態が確率表示手段によって表示される。さらに、確率表示手段では大当たり状態を成立させた特定図柄あるいは特別図柄の過去の経過も併せて表示される。
上述したように本発明によれば、大当たり状態となる確率を変動させることができ、しかもその変動した確率の状態を知ることができるから、一層興趣が盛り上げるという効果を奏する。加えて、大当たり状態を成立させた特定図柄や特別図柄の過去の経過も表示されるため、遊技者は確率状態の過去の経過を視覚的に判断することができる。
【発明を実施するための最良の形態】
【０００６】
以下、本発明のパチンコ機を具体化した一実施形態について図１〜図１０を参照して説明する。
本実施形態のパチンコ機は、図２に示すように、額縁状に形成された前面枠１の開口に金枠２が嵌め込まれており、さらに、その金枠２には下部に前面板３が設けられ、上部にガラス板４の嵌め込まれた窓枠５が設けられている。前面板３には、上部に打球を貯留しかつ、図示しない打球発射装置に打球を供給する上受け皿６が設けられ、その下部には賞球を貯留する下受け皿７及び打球発射装置を操作するハンドル８が設けられている。また、前面枠１内には遊技盤９が配されており、これによって窓枠５内に遊技面１０が形成されている。
【０００７】
さて、図１に示すように、遊技面１０のほぼ中央には、複数の図柄が可変表示等される表示装置１１が設けられている。この表示装置１１は、液晶パネルによって表示面１２が形成されており、この表示面１２は図示しないＣＰＵによって制御されるようになっている。即ち、複数の表示画像及び図柄等を格納したＲＯＭが設けられており、ＣＰＵがこのＲＯＭの内容に基づいて表示面１２に所定の画像を表示させるように構成されている。
【０００８】
ここで、通常の遊技状態では表示面１２には、図１中左側に左側図柄表示部１３ａ、中央には中央図柄表示部１３ｂ、右側には右側図柄表示部１３ｃが設けられている。そして、この各図柄表示部１３ａ〜１３ｃには、図３に示すように数字等の図柄が記入された木箱の画像が図中矢印方向に一定の速度で順番に可変表示されるようになっている。この可変表示動作は、表示装置１１の下方に設けられている始動入賞口１４への打球の入賞によって開始され、所定時間（８．３秒）経過後に停止するように構成されている。
【０００９】
また、上記可変表示動作が停止した際に、表示面１２の画像は例えば図４に示す結果表示画面に切り替わり、停止した図柄が表示されるようになっている。この時、停止した図柄が大当たりの組み合わせ、例えば、左側図柄表示部１３ａ、中央図柄表示部１３ｂ、右側図柄表示部１３ｃの図柄が同じ場合（ぞろめ状態）には、大当たり状態とされ、表示面１２の画像は例えば図５に示す大当たり画面に切り替わる。ここで、大当たり状態とされた図柄（以下、大当たり図柄という。）が図７に示すいずれかの特別図柄である場合には、後述する確率変動ルーチン（本発明にいう確率変動手段に相当する。）によって一定の期間高確率モードとされ、次に大当たり状態とされる確率が高められるようになっている。なお、通常状態では、低確率モードにあり、大当たり状態とされる確率が高確率モード時より低められている。
【００１０】
さらに、大当たり状態とされた後、表示面１２は図６に示す大当たり中画面とされる。この大当たり中画面のうち、図中左上部には、確率表示部１５が設けられている。即ち、今回表示部１５ａ、前回表示部１５ｂ、前々回表示部１５ｃが設けられており、後述する確率表示ルーチン（本発明の確率表示手段に相当する。）により所定の表示がなされるようになっている。
【００１１】
なお、表示装置１１の上部には第一図柄表示部１６が設けられており、作動ゲート１７への打球の通過により作動し、「１、３、５、７」の数字が順番に可変表示された後、所定時間（２９秒）経過後に停止するように構成されている。また、表示装置１１の下方には始動入賞口１４が設けられており、上記第一図柄表示部１６の表示が所定の数字「３、７」で停止した場合に、所定の時間だけ開放されるように構成されている。この開放時間は、高確率モードと低確率モードとで異なり、高確率モード時では１．９秒の開放時間で３回開放され、低確率モード時では０．３秒の開放時間で１回開放されるようになっている。さらに、始動入賞口１４の下方部には、大当たり入賞口１８が設けられており、大当たり状態とされた時に、２９．５秒間或いは１０個の入賞があるまで開放され、かつＶゾーン１８ａへの入賞を条件にさらに連続して１５回開放されるように構成されている。
【００１２】
次に、本実施形態の作用について述べる。ハンドル８を回して遊技を開始し、打球が作動ゲート１７を通過すると第一図柄表示部１６が作動する。そして、所定の数字「３，７」で停止すると、始動入賞口１４が上記所定時間だけ開放状態となる。さらに、その際に始動入賞口１４に打球が入賞すると各図柄表示部１３ａ〜１３ｃが作動する。以下、図８に示すフローチャート（メインルーチン）に基づいて説明する。
【００１３】
始動入賞口１４に打球の入賞があったか否かの判断がなされ（ステップ１）、入賞があった場合には左側図柄表示部１３ａ、中央図柄表示部１３ｂ、右側図柄表示部１３ｃにそれぞれ所定の図柄が順番に可変表示される（ステップ２）。そして、所定時間経過後に可変表示動作が停止し、停止した際の左側図柄表示部１３ａ、中央図柄表示部１３ｂ、右側図柄表示部１３ｃに表示された図柄の組み合わせが大当たりの組み合わせ（例えば、ぞろめ状態）であるか否かの判断がなされる（ステップ３）。停止した図柄が大当たりの組み合わせでない場合には、ステップ１に戻りさらに始動入賞口１４への入賞があるか否かの判断を続ける。大当たりの組み合わせである場合には後述する確率変動ルーチンを実行し（ステップ４）、さらにその後、後述する確率表示ルーチンを実行する（ステップ５）。そして、大当たり状態となり（ステップ６）、大当たり入賞口１８が２９．５秒間或いは１０個の入賞があるまで開放される。さらに、大当たり状態が終了か否かの判断、即ち大当たり状態中に、Ｖゾーン１８ａへの入賞があったか否かの判断がなされ（ステップ７）、Ｖゾーン１８ａへの入賞があった場合には上記大当たり状態が繰り返される。そして、連続して１６回大当たり状態が繰り返されると終了する。
【００１４】
確率変動ルーチンを図９に示すフローチャート（サブルーチン）に基づいて詳述する。上記メインルーチンのステップ３で大当たりの組み合わせとされた場合には、まずその大当たり図柄が特別図柄であるか否かの判断をし（ステップ４１）、特別図柄である場合にはカウンタＣに”２”をセットして高確率モードに切り替え（ステップ４２）、そして、メインルーチンに復帰する。一方、ステップ４１において、大当たり図柄が特別図柄でない（以下、通常図柄という。）場合には、カウンタＣの値が”０”であるか否かの判断、即ち現在の確率モードの状況確認がなされる（ステップ４３）。ここで、カウンタＣの値が”０”、即ち現在の確率モードが低確率モードである場合にはそのままメインルーチンに復帰する。また、カウンタＣの値が”０”でない場合、即ち現在の確率モードの状態が高確率モードである場合には、カウンタＣの値を１つダウンカウントし（ステップ４４）、その後、カウンタＣの値が”０”であるか否かの判断がなされる（ステップ４５）。これは、高確率モードの終了を判断するためであり、カウンタＣの値が”０”、即ち高確率モードとされた後連続して通常図柄で２回大当たりとされた場合には高確率モードから低確率モードに切り替えられ、そしてメインルーチンに復帰する（ステップ４６）。一方、カウンタＣの値が”０”でない場合（実際にはカウンタＣの値が”１”である場合）、即ち高確率モードとされた後まだ通常図柄で１回しか大当たりとされていない場合にはその高確率モードのままメインルーチンに復帰する。
従って、低確率モードで遊技が開始され、特別図柄で大当たりとされると高確率モードに切り替えられ、次に大当たりとされる確率が高められる。そして、一度高確率モードに切り替えられるとその後２回連続して通常図柄で大当たりとされるまで高確率モードは継続することになる。
【００１５】
確率表示ルーチンを図１０に示すフローチャート（サブルーチン）に基づいて詳述する。メインルーチンで確率変動ルーチンが実行されると、その後、確率表示部１５において今回表示部１５ａ、前回表示部１５ｂ、前々回表示部１５ｃの図柄が左方に１つづつシフトし、今回表示部１５ａには現在の大当たり図柄が表示される。即ち、前々回表示部１５ｃには前回表示部１５ｂの図柄が表示され（ステップ５１）、前回表示部１５ｂには今回表示部１５ａの図柄が表示される（ステップ５２）。さらに、大当たり図柄が特別図柄であるか否かの判断がなされ（ステップ５３）、特別図柄である場合には今回表示部１５ａには特別図柄及び高確率モードであることを示す高確率表示図柄１９（図６の画面中”桜”の図柄）が表示される（ステップ５４）。一方、大当たり図柄が通常図柄である場合には、今回表示部１５ａには単にその通常図柄が表示される（ステップ５５）。
【００１６】
従って、特別図柄で大当たりとされた場合には、今回表示部１５ａにはその特別図柄及び高確率表示図柄１９が表示され、遊技者はそのことから高確率モードとされたことを知ることができる。また、その後に通常図柄で大当たりされたならば前回表示部１５ｂには特別図柄及び高確率表示図柄１９が表示され、今回表示部１５ａには通常図柄が表示される。従って、遊技者は、そのことから高確率モードとされた後１回目の大当たりであることを知り、その後続けて通常図柄で大当たりされたならばそれで高確率モードは終了することを予測できる。さらに、その後、通常図柄で大当たりされたならば前々回表示部１５ｃには特別図柄及び高確率表示図柄１９が表示され、前回表示部１５ｂと今回表示部１５ｃには通常図柄が表示され、遊技者は通常図柄が２回連続して表示されていることからこれで高確率モードは終了して低確率モードに切り替えられたことを知ることができる。
なお、通常図柄で２回連続して大当たりとされる前に再び特別図柄で大当たりされたならば、上述したようにカウンタＣの値が再度”２”にセットされて再び高確率モードが始まることになるが、この場合には今回表示部１５ａに再び特別図柄及び高確率表示図柄１９が表示されることになり、遊技者は連続して高確率モードとされたことを知ることができる（図６の画面参照）。
【００１７】
このように本実施形態では、確率変動手段（確率変動ルーチン）によって大当たり状態となる確率を変動させることができ、かつその確率変動に連動して確率表示手段（確率表示ルーチン）により現在の確率状態を確率表示部１５に表示させることができる。従って、高確率状態時に遊技を途中でやめてしまうことや、低確率状態であるにも拘らず大当たりとなることを確信して遊技を続けてしまうこともなく、一層興趣を盛り上げることができるという効果を奏する。しかも、現在の確率の状態のみならず、前回及び前々回の確率の状態も表示されるから、高確率モードで大当たりとされる回数が決まっている場合には残りの回数を知ることや過去の経過等も知ることができ、より一層興趣を盛り上げることができる。
【００１８】
なお、本実施形態は確率変動手段を備えたものにおいて変動する確率状態を確率表示部１５の内容から知ることができるように構成したものであるが、確率が変動しないものにおいて過去の大当たり図柄を表示するようにしてもよい。これによって、大当たり図柄の経過を知ることができ、その変化の態様から次の大当たり図柄を予想する楽しみが増え一層興趣を盛り上げることができる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２０】
（１）上記実施形態では、確率表示部１５に前々回の大当たり図柄、前回の大当たり図柄、今回の大当たり図柄を表示することにより、現在の確率モード等を遊技者に知らせる構成であったが、直接確率モードや残りの回数を表示するようにしてもよい。例えば、確率表示部に「高確率中」又は「低確率中」という文字を表示する。或いは、「あと１回」という具合に表示する。
【００２１】
（２）また、大当たり中画面の背景色を高確率モードと低確率モードで切り替えたり、または、高確率モードとされた後何回目の大当たりであるかによって背景色を順番に替えるようにしてもよい。
【図面の簡単な説明】
【００２２】
【図１】本実施形態の遊技面を示す正面図である。
【図２】パチンコ機の正面図である。
【図３】可変表示される図柄を示す画像図である。
【図４】結果表示画面を示す画像図である。
【図５】大当たり画面を示す画像図である。
【図６】大当たり中画面を示す画像図である。
【図７】特別図柄を示す画像図である。
【図８】全体の動作を示すフローチャートである。
【図９】確率変動ルーチンを示すフローチャートである。
【図１０】確率表示ルーチンを示すフローチャートである。
【符号の説明】
【００２３】
１１…表示装置
【図１】
2006110387.tif 000003
【図２】
2006110387.tif 000004
【図３】
2006110387.tif 000005
【図４】
2006110387.tif 000006
【図５】
2006110387.tif 000007
【図６】
2006110387.tif 000008
【図７】
2006110387.tif 000009
【図８】
2006110387.tif 000010
【図９】
2006110387.tif 000011
【図１０】
2006110387.tif 000012
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
複数の図柄を可変表示可能な表示装置を備え、その表示装置が特定図柄で停止した時に大当たり状態となるパチンコ機において、
前記表示装置が特定図柄で停止する確率を高確率状態と低確率状態との間で変動させる確率変動手段を備え、
前記表示装置に表示される特定図柄は前記大当たり状態を成立させる複数種が設定され、前記確率変動手段は、前記複数種ある特定図柄のうちの特別図柄によって表示がされたときに前記高確率状態へ移行させるようになっており、
前記表示装置が前記特定図柄で停止し、大当たり状態とされた時には、その大当たりした特定図柄が前記特別図柄の場合は同特別図柄が高確率状態に対応するものであることを示す高確率表示図柄がともにこれに付記表示され、前記特別図柄以外の特定図柄の場合は付記表示されないようになっていることを特徴とするパチンコ機。
【手続補正２】
【補正対象書類名】明細書
【補正対象項目名】０００４
【補正方法】変更
【補正の内容】
【０００４】
上記目的を達成するために、本発明のパチンコ機は、複数の図柄を可変表示可能な表示装置を備え、その表示装置が特定図柄で停止した時に大当たり状態となるパチンコ機において、前記表示装置が特定図柄で停止する確率を高確率状態と低確率状態との間で変動させる確率変動手段を備え、前記表示装置に表示される特定図柄は前記大当たり状態を成立させる複数種が設定され、前記確率変動手段は、前記複数種ある特定図柄のうちの特別図柄によって表示がされたときに前記高確率状態へ移行させるようになっており、前記表示装置が前記特定図柄で停止し、大当たり状態とされた時には、その大当たりした特定図柄が前記特別図柄の場合は同特別図柄が高確率状態に対応するものであることを示す高確率表示図柄がともにこれに付記表示され、前記特別図柄以外の特定図柄の場合は付記表示されないようになっているところに特徴を有する。
【手続補正３】
【補正対象書類名】明細書
【補正対象項目名】０００５
【補正方法】変更
【補正の内容】
【０００５】
＜請求項１の発明＞
本発明によれば、大当たり状態となる確率を確率変動手段によって変動させることができる。また、本発明では、大当たりの際の表示として、その大当たりした特定図柄が特別図柄の場合は同特別図柄が高確率状態に対応するものであることを示す高確率表示図柄がともにこれに付記表示され、特別図柄以外の特定図柄の場合は付記表示されないようにしている。
上述したように本発明によれば、大当たり状態となる確率を変動させることができ、しかもその変動した確率の状態を知ることができるから、一層興趣が盛り上げるという効果を奏する。